(57)【特許請求の範囲】
【請求項１】
縦方向に伸びる、その両側に夫々縦パイプを配置した縦長板と、シートを挿通するため上記各縦パイプの外側面に軸方向に形成した縦方向のスリットと、上面に凸部を有する構造物から上記各縦パイプを上記凸部に相当する距離離間するため上記各縦パイプに夫々設けた脚部と、この脚部を上記構造物に固定するための手段とよりなり、上記脚部を構造物に固定するための手段がＵ字状の弾性止め具であり、上記脚部が、上記構造物の上面に当接したところで外側方向に水平に折れ曲がり、更に上記構造物の端面で下方に折れ曲がる端部と、上記水平に折れ曲がった部分の上面に起立して設けた爪部とを有し、上記Ｕ字状の弾性止め具が、その上側挟持部の端部に設けた、上記爪部に係合する折れ曲がり部と、上記上側挟持部に設けた止め具の取り外し用の孔とを有することを特徴とする仮設建築用シートの取付装置。
【請求項２】
夫々内側下方に折れ曲がった折れ曲がり部を両端に有する縦長のシート押え板と、このシート押え板を上記縦長板の外面に覆せて固定する手段とを更に有し、上記シート押え板の両側の折れ曲がり部によりシートを押圧、緊張せしめることを特徴とする請求項１記載の仮設建築用シートの取付装置。
【発明の詳細な説明】
【０００１】
【発明の属する技術分野】
本発明は仮設建築用シートの取付装置、特に、土木、建築の作業現場の仮設建築物に防寒等のために張設する仮設建築用シートの取付装置に関するものである。
【０００２】
【従来の技術】
従来仮設建築用シートの取付装置は例えば特開平９−３２８９３３号等に示されている。
【０００３】
図５は従来既知のシートジョイント１を示し、２は本体構造物３にボルト４により固定した、上記シートジョイント１の縦長台板、５は上記縦長台板２の両側に並列した２つの縦方向に延びる縦パイプ、６はこの縦パイプ５の外側面に軸方向に形成した縦方向のスリット、７は横方向に張架されるシート、８は上記シート７の横方向端部を巻き付けた棒状体であって、この棒状体８は縦パイプ５の端面から縦パイプ５内に挿入され、このときシート７はスリット６内に挿通されるようになっている。
【０００４】
【発明が解決しようとする課題】
然しながら、図６及び図７に示すように、本体構造物３の特に湾曲部分では直線状のＨ形鋼９と湾曲Ｈ形鋼１０とをつなぎプレート１１で連結する必要があり、この連結した部分では、上記Ｈ形鋼９と湾曲Ｈ形鋼１０のフランジ１２外表面にボルトが突出することになり、この突出したボルトの頭部１３が邪魔で、上記従来のシートジョイント１を本体構造物３に直接取り付けることができないという欠点があった。
【０００５】
本発明は上記のような欠点を除くようにしたものである。
【０００６】
【課題を解決するための手段】
本発明の仮設建築用シートの取付装置は、縦方向に伸びる、その両側に夫々縦パイプを配置した縦長板と、シートを挿通するため上記各縦パイプの外側面に軸方向に形成した縦方向のスリットと、上面に凸部を有する構造物から上記各縦パイプを上記凸部に相当する距離離間するため上記各縦パイプに夫々設けた脚部と、この脚部を上記構造物に固定するための手段とよりなり、上記脚部を構造物に固定するための手段がＵ字状の弾性止め具であり、上記脚部が、上記構造物の上面に当接したところで外側方向に水平に折れ曲がり、更に上記構造物の端面で下方に折れ曲がる端部と、上記水平に折れ曲がった部分の上面に起立して設けた爪部とを有し、上記Ｕ字状の弾性止め具が、その上側挟持部の端部に設けた、上記爪部に係合する折れ曲がり部と、上記上側挟持部に設けた止め具の取り外し用の孔とを有することを特徴とする。
【０００８】
また、本発明の仮設建築用シートの取付装置は、夫々内側下方に折れ曲がった折れ曲がり部を両端に有する縦長のシート押え板と、このシート押え板を上記縦長板の外面に覆せて固定する手段とを更に有し、上記シート押え板の両側の折れ曲がり部によりシートを押圧、緊張せしめることを特徴とする。
【０００９】
【発明の実施の形態】
以下図面によって本発明の実施例を説明する。
【００１０】
本発明の仮設建築用シートの取付装置は、図１及び図２に示すように、シートジョイント１６と、シートジョイント固定手段１９とにより構成する。上記シートジョイント１６は縦方向に伸びる、その両側に夫々縦パイプ５を配置した縦長台板２と、シート７を挿通するため上記各パイプ５の外側面に軸方向に形成した縦方向のスリット６と、上記左右のパイプ５の下面に夫々設けた、フランジ１２とつなぎプレート１１とを連結するボルト１３の頭部１４を越える高さの脚部１５ａと、上記フランジ１２の上面に当接したところで外側方向に水平に折れ曲がり、更に上記フランジ１２の端面で下方に折れ曲がった脚部１５ａの端部１５ｂと、この脚部１５ａの端部１５ｂの水平上面に起立して設けた爪部１５ｃとより成る。また、上記シートジョイント固定手段１９は上記脚部１５ａの端部１５ｂと上記フランジ１２とを挟持固定せしめるＵ字状の弾性止め具１７と、上記止め具１７の上側挟持部１７aの端部に設けた、上記爪部１５ｃに係合する折れ曲がり部１７ｂと、上記止め具１７の上側挟持部１７aに設けた止め具１７の取り外し用の孔１８とより成る。
【００１１】
本発明の仮設建築用シートの取付装置は上記のような構成であるから、ボルト１３の頭部１４を避けてシートジョイント１６の脚部１５ａの端部１５ｂをフランジ１２に当接せしめ、上記脚部１５ａの端部１５ｂと上記フランジ１２の端部下面に上記Ｕ字状の止め具１７をハンマー等で押し込めば、上記シートジョイント１６を上記フランジ１２に固定することができ、シート７を取り付けた棒状体８を各縦パイプ５の端面から縦パイプ内に挿入し、同時にシート７をスリット６に挿通せしめれば、上記シート７を横方向に張架することができる。
【００１２】
また、上記シートジョイント１６を上記フランジ１２から取り外す時には、例えば図３に示すように、上記止め具１７の孔１８内にドライバー２０の先を入れ、テコの原理を用いて上記ドライバー２０の柄の部分を下方に下げ、上記止め具１７のＵ字部を拡開せしめれば、上記脚部１５ａの端部１５ｂと上記フランジ１２とから上記止め具１７を外すことができる。
【００１３】
図４は本発明の他の実施例を示し、この実施例においては両側に夫々内側下方に折れ曲がった折れ曲がり部２１，２１を有する縦長のシート押え板２２を上記シートジョイント１４の縦長台板２の外面に覆せ、ボルト２３及びナット２４により固定せしめる。
【００１４】
また、上記折れ曲がり部２１の先端部を外方側上方に湾曲せしめ、この湾曲部分２５により上記シート７を、上記シート７に傷が付かないように押圧、緊張せしめる。なお、各シート押え板２２は、上流側のシート押え板２２の下流側端部と下流側のシート押え板２２の上流側端部の上側に重なるように上記縦長台板２に取り付け、雨が上記シート押え板２２を伝って上流側から下流側に流れても、上記シート押え板２２とシート押え板２２との間から内部に雨が入らないようにするのが好ましい。
【００１５】
本発明のこの実施例は上記のような構成であるから、シート７を取り付けた棒状体８を各縦パイプ５の端面から縦パイプ内に挿入し、同時にシート７をスリット６に挿通し、その後、図４に示すように、上記シート押え板２２を上記シートジョイント１４の縦長台板２の外面に覆せ、上記ボルト２３にナット２４を締め付けて上記シート押え板２２を上記縦長台板２に固定せしめれば、同時に上記シート押え板２２の両側の折れ曲がり部２１の湾曲部分２５が上記シート７を押圧するから、上記シート７が緊張されるようになる。
【００１６】
【発明の効果】
上記のように本発明の仮設建築用シートの取付装置によれば、フランジなどの構造物の外表面に突出した凸部があっても、シートジョイント１６を構造物に固定することができるという大きな利益がある。
【００１７】
また、上記シートジョイント１４にシート押え板２２を覆せれば、シート押え板によりシートが押圧、緊張されるので、風によるシートのばたつきを押えることができ、また、棒状体８によってスリット６が塞がれ、また、シート押さえ板２２がシート７に密着するので作業現場内に雨が入り込まず、また、シート７にはシート押え板２２の折れ曲がり部２１に沿った立ち上がり部が形成されるので、シート７上の雨が作業現場に入り込むのを更に阻止できるという大きな利益がある。
【図面の簡単な説明】
【図１】本発明の仮設建築用シートの取付装置の縦断正面図である。
【図２】本発明の仮設建築用シートの取付装置の止め具の斜視図である。
【図３】本発明の仮設建築用シートの取付装置の説明用斜視図である。
【図４】本発明の仮設建築用シートの取付装置の他の実施例の縦断正面図である。
【図５】従来の仮設建築用シートの取付装置の縦断正面図である。
【図６】従来の仮設建築用シートの取付装置と構造物との関係説明図である。
【図７】図６のＡ−Ａ線断面図である。
【符号の説明】
１    シートジョイント
２    縦長台板
３    構造物
４    ボルト
５    縦パイプ
６    スリット
７    シート
８    棒状体
９    Ｈ形鋼
１０    湾曲Ｈ形鋼
１１    つなぎプレート
１２    フランジ
１３    ボルト
１４    頭部
１５ａ  脚部
１５ｂ  端部
１５ｃ  爪部
１６    シートジョイント
１７    止め具
１７ａ  上側挟持部
１７ｂ  折れ曲がり部
１８    孔
１９    固定手段
２０    ドライバー
２１    折れ曲がり部
２２    シート押え板
２３    ボルト
２４    ナット
２５    湾曲部分
【図１】
0003716335.tif 000002
【図２】
0003716335.tif 000003
【図３】
0003716335.tif 000004
【図４】
0003716335.tif 000005
【図５】
0003716335.tif 000006
【図６】
0003716335.tif 000007
【図７】
0003716335.tif 000008